(57)【要約】【課題】パネルブロックの落下を防止できるとともに、施工工事およびメンテナンス作業が容易である監視制御装置を提供する。【解決手段】監視制御装置は、壁に固定された埋込ブロック１０の前面に、液晶表示器５１を有するパネルブロック２０が、埋込ブロック１０に形成された係止孔１３に嵌まる係止爪２４ａにより着脱自在に取着され、パネルブロック２０の周囲に枠状の化粧プレート３０が配設される構成を有する。化粧プレート３０は、プレート用ねじにより埋込ブロック１０に固定されたプレート枠３１と、プレート枠３１に前方より嵌着されるプレートカバー３２とを備える。プレートカバー３２の前壁３２ａには、パネルブロック１０が隙間なく嵌まるカバー側露出窓６１ｂが開設され、パネルブロック１０の上下両面における前壁３２ａの後方となる部位には、落下防止突起２５がそれぞれ突設される。【選択図】図１
2010199897.tif 000002
【特許請求の範囲】
【請求項１】
通信によって複数の負荷の監視制御を行う遠隔監視制御システムに用いられ、表示画面を有する表示器と、操作入力を受け付け複数種類の入力情報を入力できる操作入力部と、負荷の状態を表示器に表示させるとともに入力情報を負荷の制御を指示する制御情報とする制御部と、複数の負荷を監視制御対象として通信コマンドを伝送する通信回路部とを備えた監視制御装置であって、施工面に形成された施工孔に後部を収める形態で施工面に固定された埋込ブロックと、表示画面が前面側に露出するように表示器を保持し埋込ブロックに設けられた被係合部と前後方向において重なる係合部を有し前方より埋込ブロックの前面に近づけて埋込ブロックに着脱自在に取着されるパネルブロックと、パネルブロックの前面を露出させる枠側露出窓が開設された前板とパネルブロックにおける前面に交差する周面を囲む保持片とを有し施工面に対して定位置に固定されるプレート枠と、プレート枠の前板の前面を覆うとともにパネルブロックの前面を露出させるカバー側露出窓が開設された前壁と保持片に対向する形態でプレート枠を囲む周壁とを有しプレート枠に前方より嵌着されるプレートカバーとを備え、カバー側露出窓は、パネルブロックが隙間なく嵌まる形状に形成され、パネルブロックの周面におけるプレートカバーの前壁の後方となる部位には、落下防止突起が突設されていることを特徴とする監視制御装置。
【請求項２】
前記施工面は、壁面であって、前記落下防止突起は、前記パネルブロックの上下の周面にそれぞれ突設されていることを特徴とする請求項１に記載の監視制御装置。
【請求項３】
前記施工面は、壁面であって、前記落下防止突起は、前記パネルブロックの左右の周面にそれぞれ突設されていることを特徴とする請求項１に記載の監視制御装置。
【請求項４】
前記施工面は、壁面であって、前記落下防止突起は、前記パネルブロックの上下および左右の周面にそれぞれ突設されていることを特徴とする請求項１に記載の監視制御装置。
【請求項５】
前記落下防止突起は、前記パネルブロックの周面に全周に亘って形成されることを特徴とする請求項１に記載の監視制御装置。
【請求項６】
前記落下防止突起の前面は、前記プレートカバーの前壁の後面に当接していることを特徴とする請求項１乃至請求項５のいずれか１項に記載の監視制御装置。
【発明の詳細な説明】
【技術分野】
【０００１】
本発明は、通信によって負荷の監視制御を行う遠隔監視制御システムに用いられる監視制御装置に関するものである。
【背景技術】
【０００２】
従来から、負荷の遠隔監視制御を行うために信号線を通してスイッチのオンオフ情報を含む伝送信号を伝送し、負荷の電源を入切するリレーの開閉などの負荷の制御を伝送信号によって行う遠隔監視制御システムが知られている。
【０００３】
図５に示す遠隔監視制御システムは、負荷Ｌの制御を行う制御端末器７２と、負荷Ｌの制御の指示を入力するための操作端末器７１と、伝送ユニット７０とを備え、各操作端末器７１および各制御端末器７２と伝送ユニット７０とを２線式の信号線Ｌｓで接続している。
【０００４】
図示例では、負荷Ｌは白熱灯や蛍光灯であり、制御端末器７２は、負荷Ｌの点灯制御や調光制御を行う。白熱灯である負荷Ｌには調光制御を行う制御端末器７２が接続され、蛍光灯である負荷Ｌには、点灯制御を行う制御端末器７２と、調光制御を行う制御端末器７２との２台の制御端末器７２が接続されている。負荷Ｌは、白熱灯や蛍光灯のほか、電動カーテン、電動スクリーン、空調機のファンコイル、スピーカなどであってもよい。
【０００５】
操作端末器７１と制御端末器７２とには、端末アドレスが設定されている。また、操作端末器７１には複数回路のスイッチがそれぞれ設けられ、各スイッチにはアドレスが割り振られ、同様に、各負荷Ｌにもアドレスが割り振られている。伝送ユニット７０は、スイッチのアドレスと負荷のアドレスとを対応付けた制御テーブルが格納されたメモリを備えている。
【０００６】
伝送ユニット７０は、商用電源から電源が供給されて伝送信号を定期的に送出する。伝送信号には、双極性のパルス幅変調信号が用いられ、操作端末器７１および制御端末器７２は、この伝送信号を全波整流することによって内部電源を確保している。
【０００７】
伝送信号には、時分割多重伝送信号が用いられ、信号送出開始を示すスタートパルス、信号モードを示すモードデータ、アドレスを伝送するアドレスデータ、負荷Ｌを制御するための制御データを伝送する制御データ、伝送エラーを検出するためのチェックサムデータ、操作端末器７１や制御端末器７２からの返送信号を受信するタイムスロットである信号返送期間が伝送信号に含まれている。
【０００８】
各操作端末器７１および各制御端末器７２は、適当なインピーダンスで信号線Ｌｓ（２本）を短絡することで送出される電流モード信号を用いて、上述した信号返送期間において伝送ユニット７０に返送を行う。
【０００９】
伝送ユニット７０は、常時、端末アドレスをサイクリックに変更した伝送信号を周期的に信号線に送出する常時ポーリングを行う。いずれかの操作端末器７１においてスイッチ操作等による監視入力が発生すると、当該操作端末器７１は伝送信号のスタートパルスに同期する割込信号を信号線Ｌｓに送出する。割込信号を発生した操作端末器７１は、割込フラグを設定したラッチ状態になる。
【００１０】
一方、伝送ユニット７０は、割込信号を検出するとモードデータをサーチモードとした伝送信号を送出する。ラッチ状態になっている操作端末器７１は、サーチモードの伝送信号を受信すると信号返送期間において端末アドレスを返送し、端末アドレスを受け取った伝送ユニット７０は、当該端末アドレスの操作端末器７１にラッチ状態の返送を要求する伝送信号を伝送し、ラッチ状態か否かを確認することによって割込信号を発生した操作端末器７１であることを確認する。割込信号を発生した操作端末器７１であることが確認されると、ラッチ状態を解除させる伝送信号を伝送し、当該操作端末器７１のラッチ状態を解除させる。
【００１１】
伝送ユニット７０は、上述の動作によって操作端末器７１からの要求を受け取ると、制御テーブルに従って当該操作端末器７１に対応付けられた制御端末器７２に対して負荷Ｌの制御を要求する。次に、制御対象である負荷Ｌの状態を確認するための伝送信号を送出し、制御端末器７２から負荷状態を返送させる。制御端末器７２から受け取った負荷状態は、伝送ユニット７０で確認され、現状の負荷状態がオフであれば負荷状態をオンに反転させる内容の伝送信号を操作端末器７１に送信する。
【００１２】
ところで、図５に示した遠隔監視制御システムは、各操作端末器７１に代わって各負荷Ｌの制御の指示を行うことができるとともに負荷状態を表示器に表示する監視制御装置１を備えている。監視制御装置１は、各操作端末器７１がそれぞれ有するスイッチの合計数と同数の回路数のスイッチを備え、信号線Ｌｓで伝送装置７０に接続されて全負荷Ｌの制御の指示を入力することができる。
【００１３】
負荷が、たとえば、ホテルの客室に設置された電動カーテンである場合、監視制御装置を集中管理室などの他の部屋に設置すると、電動カーテンは、客室に設置された操作端末器で操作できるとともに、集中管理室に設置された監視制御装置でも操作することができる。なお、図５に示した遠隔監視制御システムでは、監視制御装置１には、商用電源を降圧して出力する降圧トランスであるリモコントランス７３から電源が供給されている。
【００１４】
ところで、監視制御装置には、壁などに取り付けられて使用されるものがある（例えば、特許文献１参照）。特許文献１では、壁に取り付けられた場合の監視制御装置の占有面積を小さくするため、液晶表示器と液晶表示器の画面に重ねて配置された透明なタッチスイッチとで構成されるタッチパネルディスプレイを備えた多機能スイッチを監視制御装置として用いている。タッチスイッチの操作により液晶表示器に表示される表示内容が切り替わり、表示内容とタッチスイッチの操作との組み合わせにより、種々の指示を入力することができる。
【００１５】
特許文献１に記載された監視制御装置（多機能スイッチ）は、図６に示すように、取付部材（図示せず）を用いて壁に固定された埋込ブロック１０の前面に、液晶表示器（図示せず）およびタッチスイッチ（図示せず）を有するパネルブロック２０が着脱自在に取着される構成を有している。
【００１６】
埋込ブロック１０とパネルブロック２０とは、図７に示すように、フラットケーブル５６により電気的に接続されるとともに、パネルブロック２０が埋込ブロック１０から脱落してもパネルブロック２０が床に衝突して破損することがないように落下防止紐５７で繋がれている。
【先行技術文献】
【特許文献】
【００１７】
【特許文献１】特開平１０−２４３４７８号公報
【発明の概要】
【発明が解決しようとする課題】
【００１８】
特許文献１に記載された監視制御装置では、パネルブロック２０と埋込ブロック１０とを落下防止紐５７で繋ぐから、監視制御装置を壁に取り付ける施工工事に手間がかかる。また、パネルブロック２０の点検、修理などのメンテナンスにおいて、落下防止紐５７をパネルブロック２０から外す必要があるから、メンテナンス作業に手間がかかる。
【００１９】
本発明は上記事由に鑑みて為されたものであり、その目的は、パネルブロックの落下を防止できるとともに、施工工事およびメンテナンス作業が容易である監視制御装置を提供することにある。
【課題を解決するための手段】
【００２０】
請求項１の発明は、通信によって複数の負荷の監視制御を行う遠隔監視制御システムに用いられ、表示画面を有する表示器と、操作入力を受け付け複数種類の入力情報を入力できる操作入力部と、負荷の状態を表示器に表示させるとともに入力情報を負荷の制御を指示する制御情報とする制御部と、複数の負荷を監視制御対象として通信コマンドを伝送する通信回路部とを備えた監視制御装置であって、施工面に形成された施工孔に後部を収める形態で施工面に固定された埋込ブロックと、表示画面が前面側に露出するように表示器を保持し埋込ブロックに設けられた被係合部と前後方向において重なる係合部を有し前方より埋込ブロックの前面に近づけて埋込ブロックに着脱自在に取着されるパネルブロックと、パネルブロックの前面を露出させる枠側露出窓が開設された前板とパネルブロックにおける前面に交差する周面を囲む保持片とを有し施工面に対して定位置に固定されるプレート枠と、プレート枠の前板の前面を覆うとともにパネルブロックの前面を露出させるカバー側露出窓が開設された前壁と保持片に対向する形態でプレート枠を囲む周壁とを有しプレート枠に前方より嵌着されるプレートカバーとを備え、カバー側露出窓は、パネルブロックが隙間なく嵌まる形状に形成され、パネルブロックの周面におけるプレートカバーの前壁の後方となる部位には、落下防止突起が突設されていることを特徴とする。
【００２１】
請求項２の発明は、請求項１の発明において、前記施工面は、壁面であって、前記落下防止突起は、前記パネルブロックの上下の周面にそれぞれ突設されていることを特徴とする。
【００２２】
請求項３の発明は、請求項１の発明において、前記施工面は、壁面であって、前記落下防止突起は、前記パネルブロックの左右の周面にそれぞれ突設されていることを特徴とする。
【００２３】
請求項４の発明は、請求項１の発明において、前記施工面は、壁面であって、前記落下防止突起は、前記パネルブロックの上下および左右の周面にそれぞれ突設されていることを特徴とする。
【００２４】
請求項５の発明は、請求項１の発明において、前記落下防止突起は、前記パネルブロックの周面に全周に亘って形成されることを特徴とする。
【００２５】
請求項６の発明は、請求項１乃至請求項５の何れか１項の発明において、前記落下防止突起の前面は、前記プレートカバーの前壁の後面に当接していることを特徴とする。
【発明の効果】
【００２６】
請求項１に記載された構成では、カバー側露出窓は、パネルブロックが隙間なく嵌まる形状でプレートカバーの前壁に形成され、パネルブロックの周面におけるプレートカバーの前壁の後方となる部位には、落下防止突起が突設されているから、係合部が被係合部から外れたとしても、落下防止突起がプレートカバーの前壁に当接することでパネルブロックの落下を防止できるという利点がある。また、パネルブロックは、前方より埋込ブロックの前面に近づけて埋込ブロックに着脱自在に取着され、プレートカバーはプレート枠に嵌着されるから、施工工事が容易であり、また、プレートカバーをプレート枠から外してパネルブロックを前方に引っ張るだけでパネルブロックを埋込ブロックから取り外すことができ、パネルブロックの点検、修理などのメンテナンスを容易に行うことができるという利点がある。
【００２７】
請求項２に記載された構成では、落下防止突起は、パネルブロックの上下の周面にそれぞれ突設されているから、パネルブロックの上下両部において落下防止突起がプレートカバーの前壁に当接し、パネルブロックの落下を確実に防止することができるという利点がある。
【００２８】
請求項３に記載された構成では、前記落下防止突起は、前記パネルブロックの左右の周面にそれぞれ突設されているから、係合部が被係合部から外れてパネルブロックの上部が前方に倒れてきた場合において、左右の周面にそれぞれ形成された落下防止突起が、パネルブロックが前方に倒れ掛かる力を分散して支えることができ、上面に形成された落下防止突起でパネルブロックが前方に倒れ掛かる力を主に支える請求項２の構成よりも、確実にパネルブロックの落下を防止することができるという利点がある。
【００２９】
請求項４に記載された構成では、前記落下防止突起は、前記パネルブロックの上下および左右の周面にそれぞれ突設されているから、前記パネルブロックの上下の周面と左右の周面との一方に落下防止突起を形成した場合に比べ、パネルブロックが前方に倒れ掛かる力をより分散して受けることができ、請求項２または請求項３の構成よりも、確実にパネルブロックの落下を防止することができるという利点がある。
【００３０】
請求項５に記載された構成では、前記落下防止突起は、前記パネルブロックの周面に全周に亘って形成されるから、前記パネルブロックの上下および左右の周面に落下防止突起をそれぞれ形成した場合に比べ、パネルブロックが前方に倒れ掛かる力をより分散して受けることができ、請求項４の構成よりも、確実にパネルブロックの落下を防止することができるという利点がある。
【００３１】
請求項６に記載された構成では、前記落下防止突起の前面は、前記プレートカバーの前壁の後面に当接しているから、係合部と被係合部との係合に加え、落下防止突起とプレートカバーの前壁との当接により、パネルブロックの前方への移動が抑制され、その結果、埋込ブロックにおけるパネルブロックの保持強度を高めることができるという利点がある。
【図面の簡単な説明】
【００３２】
【図１】実施形態の前面側から見た分解斜視図である。
【図２】同上の後面側から見た分解斜視図である。
【図３】同上の垂直断面図である。
【図４】同上の水平断面図である。
【図５】従来例を用いた遠隔監視制御システムの構成を示す図である。
【図６】従来例の側面図である。
【図７】従来例の分解図である。
【発明を実施するための形態】
【００３３】
本実施形態では、背景技術の欄で説明した遠隔監視制御システムに用いられる監視制御装置を例示する。監視制御装置は、図１に示すように、操作入力を受け付ける操作入力部であるタッチスイッチ５１と、表示器である液晶表示器５２と、種々の電子部品が実装されて内部回路を実現する基板５３ａ，５３ｂ（図３参照）とを備える。内部回路には、負荷の状態を液晶表示器５２に表示させるとともにタッチスイッチ５１からの入力情報を負荷の制御を指示する制御情報とする制御部と、複数の負荷を監視制御対象として通信コマンドを伝送する通信回路部とが設けられ、制御情報が伝送ユニット（図示せず）に伝えられる。
【００３４】
タッチスイッチ５１には、透明なシート状部材に透明電極からなる接点部を多数個配列しシート状部材に指などが触れた際にどの部位に触れたのかを出力する抵抗感圧方式のものを用い、液晶表示器５２の画面（前面）に重ねて配設する。液晶表示器５２には、バックライトが一体化されるとともに多数の画素を縦横にマトリクス状に配列したマトリクス表示型のものを用い、画素の組み合わせによって文字や図形を表示する。液晶表示器５２に表示される文字や図形の種類と、タッチスイッチ５１における指が触れた場所との組み合わせにより、情報の入力が行われる。すなわち、タッチスイッチ５１と液晶表示器５２とでタッチパネルディスプレイが構成される。
【００３５】
監視制御装置は、取付部材（図示せず）を用いて壁に取り付けられる。つまり、ここでは、壁面を取付対象の施工面としている。ただし、施工面は、壁面に限るものではなく、建具の一面や柱の一面などであってもよい。以下では、監視制御装置を壁に取り付けた状態における上下を上下として説明する。
【００３６】
本実施形態では、取付部材には、壁面からの突出量を小さく抑え、且つ、一般に普及している埋込型の配線器具との外観上の統一感を出すとともに低コスト化を図るため、埋込型の配線器具用の埋込ボックスを用いる。埋込ボックスは、壁面に開設された施工孔（図示せず）の後方に配設されている。
【００３７】
監視制御装置は、基板５３ｂ（図３参照）を有する埋込ブロック１０と、タッチスイッチ５１および液晶表示器５２を有し後述する係合部により埋込ブロック１０に着脱自在に取着されるパネルブロック２０と、施工孔を隠すための枠状の化粧プレート３０とを備える。
【００３８】
埋込ブロック１０は、基板５３ｂを内部に収容する埋込ボディ１１を備える。埋込ボディ１１は、埋込ボックス内に収納可能な形状および寸法に形成され、施工孔の前方より壁内に挿入される。本実施形態では、埋込ボディ１１は、１連用の取付枠（図示せず）を２個まで取付可能な埋込ボックスに対応する大きさに形成されている。ここでいう１連用の取付枠とは、埋込型の配線器具用にＪＩＳで規格化されている単位寸法の配線器具を幅方向（上下方向）に３個並べて取付可能な取付枠を意味しており、１連用の取付枠が左右方向に２個連接された寸法を「２連用」と呼ぶ。すなわち、本実施形態の埋込ボディ１１は、２連用の埋込ボックスに取り付けが可能な寸法に設定される。
【００３９】
埋込ボディ１１には、電源供給用の給電線が接続される電源端子部（図示せず）と信号線が接続される信号端子部（図示せず）とが後面側に設けられる。また、埋込ボディ１１の周面の前端部からは、後面が壁面に当接する一対の取付板４０が上下方向に互いに離れる向きに延設される。一対の取付板４０には、埋込ボックスに螺合する取付ねじ（図示せず）が前方より挿通される取付孔４１が貫設される。取付ねじを埋込ボックスに螺合させて取付板４０を壁面に押し付けることにより、埋込ブロック１０が壁に固定される。
【００４０】
パネルブロック２０は、前面が矩形状に形成された薄箱状のパネルボディ２１を備え、パネルボディ２１内には、タッチスイッチ５１と液晶表示器５２とが収容される。パネルボディ２１の前面には、図３に示すように、液晶表示器５２の表示画面を露出させる表示窓２１ａが開設される。
【００４１】
パネルボディ２１の後面には、嵌合突部２２が突設され、嵌合突部２２内には、基板５３ａが収容される。埋込ボディ１１には、嵌合突部２２と嵌合する嵌合凹所１２が前面側に設けられる。
【００４２】
図１，２に示すように、嵌合突部２２の左右の両側壁には、後方に向かって切りかかれた左右一対の切欠２３が複数対形成される。本実施形態では、切欠２３は、側壁の上部と下部とに１対づつ形成される。切欠２３の底面からは、嵌合突部２２とともに嵌合凹所１２内に挿入されるスナップフィット嵌合用の係止片２４が後方に向かってそれぞれ突設される。各対の係止片２４の先端部には、係合部として、左右方向において互いに離れる向きに係止爪２４ａがそれぞれ突設される。係止爪２４ａは、水平断面において、前後方向の中央部で突出量が最大となる三角形状に形成される。
【００４３】
嵌合凹所１２の左右の内側面には、被係合部として、パネルボディ２１の後面が取付板４０の前面に当接したときに各係止爪２４ａがそれぞれ嵌まる複数個の係止孔１３が凹設される。嵌合突部２２を嵌合凹所１２に挿入すると、係止爪２４ａが嵌合凹所１２の内側面と摺接して係止片２４が撓み、嵌合突部２２が嵌合凹所１２と嵌合するとともに、係止爪２４ａが係止孔１３に嵌まる。すなわち、パネルブロック２０が埋込ブロック１０に支持される。
【００４４】
また、係止爪２４ａは、上述したような三角形状に形成されるから、パネルボディ２１を前方に引っ張ると、係止爪２４ａが撓んで係止孔１３から外れる。すなわち、パネルボディ２１を前方に引っ張ることでパネルブロック２０を埋込ブロック１０から取り外すことができる。
【００４５】
パネルブロック２０と埋込ブロック１０とは、互いに接続する一対のコネクタ５４ａ，５４ｂの一方をそれぞれ備える。コネクタ５４ａは、パネルブロック２０の嵌合突部２２の後面側に露出する形で設けられ、コネクタ５４ｂは、嵌合凹所１２の底面から前方に突出する形で、パネルブロック２０が埋込ブロック１０に取着されたときにコネクタ５４ａと接続する位置に設けられる。すなわち、ケーブルなどの接続部材を用いることなく、パネルブロック２０を埋込ブロック１０に取着するだけでパネルブロック２０と埋込ブロック１０とを電気的に接続することができる。
【００４６】
パネルブロック２０の嵌合突部２２の左側面には、外部記憶媒体としてのＳＤメモリカード（登録商標）からなるメモリカード（図示せず）が挿入されるスロット５５が設けられる。
【００４７】
パネルボディ２１は、パネルブロック２０が埋込ブロック１０に取着された場合において、前後方向において一対の取付板４０の先端部に重ならないように、上下方向の長さ寸法が一対の取付板４０の先端間の長さ寸法より小さくなるように形成される。すなわち、取付板４０の先端部はパネルボディ２１に覆われない。
【００４８】
取付板４０におけるパネルボディ２１に覆われない先端部には、化粧プレート３０を取付板４０に固定するためのプレート用ねじ（図示せず）がねじ込まれるプレート用ねじ込み孔４２が貫設される。
【００４９】
化粧プレート３０は、プレート用ねじにより取付板４０に固定されて施工孔および取付板４０を覆い隠すプレート枠３１と、プレート用ねじを隠すためのプレートカバー３２とを備える。プレート枠３１は金属材料からなり、プレートカバー３２は合成樹脂材料からなる。
【００５０】
プレート枠３１は、前面が方形状に形成された前板３１ａと、前板３１ａの端面から後方に延設されてパネルボディ２１の周面を囲む保持片３１ｂとを備える。プレート枠３１の前板３１ａには、パネルブロック２０の前面を露出させるための枠側露出窓６１ａが開設されるとともに、プレート用ねじが前方より挿通される挿通孔６０が貫設される。
【００５１】
プレートカバー３２は、プレート枠３１の前面を覆う前壁３２ａと、保持片３１ｂに対向する形でプレート枠３１を囲む周壁３２ｂとを備え、周壁３２ｂをプレート枠３１の保持片３１ｂに摺接させながらプレート枠３１の前面側よりプレート枠３１に嵌着される。プレート枠３１の保持片３１ｂとプレートカバー３２の周壁３２ｂとの間の摩擦力により、プレートカバー３２はプレート枠３１に保持される。
【００５２】
プレートカバー３２の前壁３２ａには、パネルブロック２０の前面を露出させるカバー側露出窓６１ｂが開設される。カバー側露出窓６１ｂは、パネルボディ２１の前面の寸法と略同一寸法に形成され、パネルボディ２１は、隙間なくプレートカバー３２のカバー側露出窓６１ｂに嵌まる。
【００５３】
プレート枠３１の前板３１ａには、プレートカバー３２の前壁３２ａの後面と当接するスペーサ６３が前方に突設され、図４に示すように、プレートカバー３２の前壁３２ａがパネルボディ２１における前面に交差する周面の前端部を囲む位置でスペーサ６３はプレートカバー３２の前壁３２ａの後面に当接する。
【００５４】
本実施形態では、図１，２に示すように、壁に取り付けられたドアの開閉などにより壁に衝撃が加えられ、衝撃により係止爪２４ａが係止孔１３から外れてパネルブロック２０が床に落下しないように、パネルボディ２１の上下の周面に、落下防止突起２５がそれぞれ突設される。落下防止突起２５は、パネルボディ２１の周面の後端部に形成される。すなわち、落下防止突起２５は、プレートカバー３２の前壁３２ａとの間に隙間を設けた形で前壁３２ａの後方に形成される。
【００５５】
上述したように、パネルボディ２１はプレートカバー３２のカバー側露出窓６１ｂに隙間なく嵌まるから、係止爪２４ａが係止孔１３から外れてパネルブロック２０が前方に移動すると、落下防止突起２５の前面がプレートカバー３２の前壁３２ａの後面に当接し、パネルブロック２０の床への落下が防止される。
【００５６】
ここに、パネルブロック２０を埋込ブロック１０に対して着脱する際に落下防止突起２５がパネルブロック２０の着脱を阻害しないように、プレート枠３１の前板３１ａには、落下防止突起２５に対応する位置に切欠孔６２が形成される。すなわち、プレートカバー３２をプレート枠３１から取り外せば、プレート枠３１を埋込ブロック１０から外すことなく（プレート用ねじを外すことなく）、パネルブロック２０を埋込ブロック１０に対して着脱することができる。
【００５７】
上述のように、本実施形態では、パネルブロック２０を後方に移動させるだけでパネルブロック２０を埋込ブロック１０に取着することができ、落下防止紐を備える従来構成よりも監視制御装置を壁に取り付ける施工工事が容易である。また、プレートカバー３２を前方に引っ張ってプレート枠３１から取り外した後、パネルブロック２０を前方に引っ張って埋込ブロック１０から外すことで（プレート枠３１を埋込ブロック１０から外すことなく）パネルブロック２０の点検、修理を行うことができ、メンテナンス作業を容易に行うことができる。
【００５８】
上述の構成例では、落下防止突起２５をパネルボディ２１の上下の周面にそれぞれ突設した例を示したが、パネルボディ２１の左右の周面にそれぞれ突設することもできる。係止爪２４ａが係止孔１３から外れた場合、パネルブロック２０は、上部がプレートカバー３２に倒れかかるから、落防止突起２４をパネルボディ２１の上下の周面にそれぞれ突設する構成では、主に上面に形成した落下防止突起２５によりパネルブロック２０の落下が防止される。落下防止突起２５をパネルボディ２１の左右の周面にそれぞれ突設した場合、パネルブロック２０が倒れ掛かる力を分散して受けることができ、より確実にパネルブロック２０の落下を防止することができる。
【００５９】
また、落下防止突起２５をパネルボディ２１の上下左右の周面にそれぞれ形成して、落下防止突起２５をパネルボディ２１の上下と左右の周面のうち一方に形成した構成よりも、パネルブロック２０がプレートカバー３２に倒れ掛かる力をより分散して受ける構成とすることもできる。
【００６０】
さらに、落下防止突起２５をパネルボディ２１の周面に全周に亘って形成し、落下防止突起２５をパネルボディ２１の上下左右の周面にそれぞれ形成した構成よりも、パネルブロック２０がプレートカバー３２に倒れ掛かる力をより分散して受ける構成とすることもできる。
【００６１】
また、上述の構成例では、落下防止突起２５とプレートカバー３２の前壁３２ａとの間に隙間を設け、係止爪２４ａが係止孔１３から外れてパネルブロック２０が前方に移動したときに落下防止突起２５がプレートカバー３２の前壁３２ａに当接する例を示した。これに対して、落下防止突起２５の前面がプレートカバー３２の前壁３２ａの後面に常に当接する構成を採用することもできる。この構成では、落下防止突起２５とプレートカバー３２の前壁３２ａとが当接することにより埋込ブロック１０におけるパネルブロック２０の保持が補助され、係止爪２４ａが係止孔１３から外れることを抑制してパネルブロック２０の落下を防止することができる。
【００６２】
ところで、プレート枠３１におけるプレートカバー３２の保持力を高め、パネルブロック２０の落下をより確実に防止できるように、プレートカバー３２の周壁３２ｂの内側面にスナップフィット嵌合用の装着爪を突設し、プレート枠３１の保持片３１ｂに装着爪が嵌まる装着孔を貫設した構成を採用することができる。この場合には、プレートカバー３２を前方に引っ張ることでプレートカバー３２をプレート枠３１から取り外すことができるように、装着爪を、係止爪２４ａと同様な三角形状に形成する。
【００６３】
なお、本実施形態では、プレート枠３１を金属材料で形成し、プレートカバー３２を合成樹脂材料で形成した例を示したが、プレート枠３１を合成樹脂材料で形成することもできるし、また、プレートカバー３２を金属材料で形成することもできる。
【符号の説明】
【００６４】
１０  埋込ブロック
１３  係止孔（被係合部）
２０  パネルブロック
２４ａ  係止爪（係合部）
２５  落下防止突起
３１  プレート枠
３１ａ  前板
３１ｂ  保持片
３２  プレートカバー
３２ａ  前壁
３２ｂ  周壁
５１  タッチスイッチ（操作入力部）
５２  液晶表示器（表示器）
６１ａ  枠側露出窓
６１ｂ  カバー側露出窓
【図１】
2010199897.tif 000003
【図２】
2010199897.tif 000004
【図３】
2010199897.tif 000005
【図４】
2010199897.tif 000006
【図５】
2010199897.tif 000007
【図６】
2010199897.tif 000008
【図７】
2010199897.tif 000009